(57)【要約】  【課題】  本発明は、アイロン本体のタンクに水が自動的に供給されるアイロン装置において、アイロン本体とスタンドとの水路の接続が簡単かつ確実に行えるようにした、使い勝手のよいアイロン装置を得ることを目的とするものである。  【解決手段】  スタンドのガイド部は、アイロン本体をスタンドに載置した場合に、受水部と給水部とを、また受電端子と給電部とを対向するようにアイロン本体を導くよう構成するとともに、アイロン本体の受水部は、受電部より上方かつ後方に設けたようにして、アイロン載置時に自動的に行われる給水を確実に行えるようにしたものである。【選択図】  図１
2005040318.tif 000002
【特許請求の範囲】
【請求項１】
ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記載置部の左右の中央で、かつ、前記給電部より上方に設けたアイロン装置。
【請求項２】
ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記給電部の左右の中央に設けたアイロン装置。
【請求項３】
スタンドの給水部の下部に穴部を設けた請求項１または２記載のアイロン装置。
【請求項４】
給水部は、穴部の周辺に水受け部を有する請求項１〜３のいずれか１項記載のアイロン装置。
【請求項５】
スタンドは、給水部の穴部または水受け部と連通する水抜き機構を有する請求項４記載のアイロン装置。
【請求項６】
ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記アイロン本体の前記受水部は、前記受電部より上方かつ後方に設けたアイロン装置。
【発明の詳細な説明】
【技術分野】
【０００１】
本発明は衣類等のしわ伸ばしを行うアイロン本体をスタンドに載置することにより、同アイロン本体のタンクに水が自動的に供給されるアイロン装置に関するものである。
【背景技術】
【０００２】
従来、この種のアイロン装置は、スタンドに貯水タンクと載置部を設け、上記載置部にアイロン本体を載置することによって、同アイロン本体内に水が供給されるようになっていた（例えば、特許文献１および特許文献２参照）。
【特許文献１】特開昭５８−２９４９８号公報
【特許文献２】特開平６−２３２００号公報
【発明の開示】
【発明が解決しようとする課題】
【０００３】
しかし、特許文献１に記載された構造のものでは、アイロン本体をスタンドに載置する場合、アイロン本体の後部に設けた受水部を、前記スタンドの載置部上に突出させた給水口と嵌合するように合致させなければならないため、使用勝手が悪いという問題があった。
【０００４】
つまり、アイロンがけ作業は、衣類をプレスしてしわ伸ばしを行うためにアイロン本体を手に持って動かす作業と、アイロン本体を置いて衣類を整える動作が繰り返し行われるものであり、上記のアイロン本体を動かす動作と、置く動作は頻繁に行われるものである。
【０００５】
したがって、従来のようにアイロン本体を置くたびに、受水部が給水部に確実に嵌合するように十分な注意をはらわなければならず、非常に置きにくいものであり、受水部と給水部との嵌合がわずかでもずれていれば、水漏れを起こし衣類などを濡らしてしまうという問題があった。
【０００６】
また、特許文献２に記載された構造のものでは、アイロン本体１の弁装置１１とスタンド１５の給水弁装置１９との接続がスタンド１５の載置部１６の左右中央からずれた位置で行われるため、水路の接続が不安定となるケースがあった。
【０００７】
そこで、本発明はアイロン本体とスタンドとの水路の接続が簡単かつ確実に行えるようにした、使い勝手のよいアイロン装置を得ることを第１の目的としている。
【０００８】
第２の目的は、万が一、受水部および給水部から水が溢れた場合においても、受電端子および給電部に水が浸入しないアイロン装置を得ることである。
【課題を解決するための手段】
【０００９】
そして、上記第１の目的を達成するために本発明は、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記載置部の左右の中央で、かつ、前記給電部より上方に設けたことを、第１の課題解決手段としている。
【００１０】
また、本発明は、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記給電部の左右の中央に設けたことを第２の課題解決手段としている。
【００１１】
また、上記第２の目的を達成するために本発明は、第１または第２の課題解決手段において、スタンドの給水部の下部に穴部を設けたことを第３の課題解決手段としている。
【００１２】
また、本発明は、第１から第３のいずれかの課題解決手段において、給水部は、穴部の周辺に水受け部を有したことを第４の課題解決手段としている。
【００１３】
また、本発明は、第４の課題解決手段において、スタンドは、給水部の穴部または水受け部と連通する水抜き機構を有したことを第５の課題解決手段としている。
【００１４】
また、本発明は、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記アイロン本体の前記受水部は、前記受電部より上方かつ後方に設けたことを第６の課題解決手段としている。
【発明の効果】
【００１５】
本発明の請求項１に記載の発明によれば、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記載置部の左右の中央で、かつ、前記給電部より上方に設けたことで、アイロン本体をスタンドに載置すると、ガイド部によってアイロン側の受電端子とスタンド側の給電部を対向するように案内するとともに、アイロン側の受水部とスタンド側の給水部を対向するように案内されるため、アイロンがけ作業者が意識することなく、給水をすることができる。そして、給水部をアイロン本体の持ち手の長手方向の延長線上である載置部の左右の中央で、かつ、前記給電部より上方に設けたため、給電部の左もしくは右に設けた場合に比べ、安定して受水部と給水部のシール代を確保することができ、アイロン本体をスタンドに載置するたびに、受水部と給水口との結合に格別な注意を払う必要がなくなり、操作性に優れた使い勝手の良いアイロン装置が得られる。
【００１６】
また、請求項２に記載の発明によれば、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記給電部の左右の中央に設けたことで、アイロン本体をスタンドに載置すると、ガイド部によってアイロン側の受電端子とスタンド側給電部を対向するように案内するとともに、アイロン側の受水部とスタンド側の給水部を対向するように案内されるため、アイロンがけ作業者が意識することなく、給水をすることができる。そして、給水部をアイロン本体の持ち手の長手方向の延長線上である載置部の左右の中央に設けたため、給電部の左もしくは右に設けた場合に比べ、安定して受水部と給水部のシール代を確保することができ、アイロン本体をスタンドに載置するたびに、受水部と給水口との結合に格別な注意を払う必要がなくなり、操作性に優れた使い勝手の良いアイロン装置が得られる。
【００１７】
また、請求項３に記載の発明によれば、スタンドの給水部の下部に穴部を設けたことで、万が一、受水部と給水部の故障等により、水が漏れた場合でも、その漏れた水を穴部で収容することができ、受電端子と給電部および制御手段に水が付着することなく、それらに付着することによる感電・誤動作の恐れがないため、安心してアイロンがけを行うことができる。
【００１８】
また、請求項４に記載の発明によれば、給水部は、穴部の周辺に水受け部を有したことで、万が一、受水部と給水部の故障等により、水が漏れた場合でも、その漏れた水を穴部で収容することができ、受電端子と給電部および制御手段に水が付着することなく、それらに付着することによる感電・誤動作の恐れがないため、安心してアイロンがけを行うことができる。
【００１９】
また、請求項５に記載の発明によれば、スタンドは、給水部の穴部または水受け部と連通する水抜き機構を有したことで、水が漏れた場合でも、その漏れた水を穴部または水受け部と連通する水抜き機構により水をスタンド外に排出することができ、受電端子と給電部および制御手段に水が付着することなく、それらに付着することによる感電・誤動作の恐れがないため、安心アイロンがけを行うことができる。
【００２０】
請求項６に記載の発明によれば、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記アイロン本体の前記受水部は、前記受電部より上方かつ後方に設けたことで、アイロン本体をスタンドから離脱させ、作業者が使用しているときに、受水部のシールが悪く、受水部から水が漏れる場合でも、水は下に落ちるため、受電部に水が付着することなくアイロンがけを行うことができる。
【発明を実施するための最良の形態】
【００２１】
本発明の請求項１に記載の発明は、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記載置部の左右の中央で、かつ、前記給電部より上方に設けたことで、アイロン本体をスタンドに載置すると、ガイド部によってアイロン側の受電端子とスタンド側の給電部を対向するように案内するとともに、アイロン側の受水部とスタンド側の給水部を対向するように案内されるため、アイロンがけ作業者が意識することなく、給水をすることができる。そして、給水部をアイロン本体の持ち手の長手方向の延長線上である載置部の左右の中央で、かつ、前記給電部より上方に設けたため、アイロン載置時の作業者の置き方のバラツキによる受水部と給水部の接続のバラツキを最小限にすることができ、確実に給水することができる。
【００２２】
請求項２に記載の発明は、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記スタンドの前記給水部は、前記給電部の左右の中央に設けたことで、アイロン本体をスタンドに載置すると、ガイド部によってアイロン側の受電端子とスタンド側給電部を対向するように案内するとともに、アイロン側の受水部とスタンド側の給水部を対向するように案内されるため、アイロンがけ作業者が意識することなく、給水をすることができる。そして、給水部をアイロン本体の持ち手の長手方向の延長線上である載置部の左右の中央で、かつ、前記給電部より上方に設けたため、アイロン載置時の作業者の置き方のバラツキによる受水部と給水部の接続のバラツキを最小限にすることができ、確実に給水することができる。
【００２３】
請求項３に記載の発明は、上記請求項１または２記載の発明において、スタンドの給水部の下部に穴部を設けたことで、万が一、アイロン側の受水部とスタンド側の給水部から水が漏れた場合でも、溢れた水は穴部に貯められ、アイロン側の受電端子およびスタンド側の給水部には、付着することなく安全にアイロンがけを行うことができる。
【００２４】
請求項４に記載の発明は、上記請求項１から３記載のいずれかの発明において、給水部は、穴部の周辺に水受け部を有したことで、万が一、アイロン側の受水部とスタンド側の給水部から水が漏れた場合でも、溢れた水は穴部または水受け部に貯められ、アイロン側の受電端子およびスタンド側の給水部には、付着することなく安全にアイロンがけを行うことができる。
【００２５】
請求項５に記載の発明は、上記請求項４の発明において、スタンドは、給水部の穴部または水受け部と連通する水抜き機構を有したことで、万が一、アイロン側の受水部とスタンド側の給水部から水が漏れた場合でも、溢れた水は穴部または水受け部を介して水抜き機構からスタンドの外に排出されるため、アイロン側の受電端子およびスタンド側の給水部には、付着することなく安全にアイロンがけを行うことができる。
【００２６】
請求項６に記載の発明は、ヒータによって加熱されるベース、前記ベースに形成した気化室、前記気化室に供給される水を貯えるタンク、前記タンクに連通する受水部、および前記ヒータと電気的に接続された受電端子を備えたアイロン本体と、前記アイロン本体を載置する載置部、前記アイロン本体を導くガイド部、および前記載置部に前記アイロン本体を載置した時に、前記アイロン本体の前記受水部と接続される給水部と、前記アイロン本体の前記受電端子と電気的に接続される給電部を備えたスタンドとを具備し、前記スタンドの前記ガイド部は、前記アイロン本体を前記スタンドに載置した場合に、前記受水部と前記給水部とを、また前記受電端子と前記給電部とを対向するように前記アイロン本体を導くよう構成するとともに、前記アイロン本体の前記受水部は、前記受電部より上方かつ後方に設けたことで、アイロン本体をスタンドから離脱させ、作業者が使用しているときに、受水部のシールが悪く、受水部から水が漏れる場合でも、水は下に落ちるため、受電部に水が付着することなくアイロンがけを行うことができる。
【実施例１】
【００２７】
以下、本発明の一実施例を図面を用いて説明する。図１〜４において、１はアイロン本体で、蓋体２に覆われた気化室３を形成したベース４、このベース４を加熱するヒータ５、前記気化室３に導水路６を介して連結したタンク７、このタンク７に水を供給するための受水部８、前記ヒータ５に接続された受電端子９、前記タンク７の水位を検知する水位検知手段１０、前記アイロン本体１を作業者が持つための持ち手１１を有している。前記受水部８はアイロン本体１の持ち手１１の長手方向の延長線上において、前記受電端子９より上方かつ後方に設けられている。
【００２８】
１２はスタンドで、前記アイロン本体１を前記ベース４の後部を下方にして傾斜載置する載置部１３、アイロン本体１の受電端子９と各々接続される複数の給電部１４、前記アイロン本体１の受水部８と対向した位置、すなわち、前記受電端子９より上方かつ後方で、なおかつ、載置部１３の左右の中央に設けられた給水部１５、作業者がアイロン本体１を載置した時にアイロン本体１に設けられた受電端子９とスタンド１２に設けられた給電部１４を対向した位置にアイロン本体１を導くとともに、アイロン本体１に設けられた受水部８とスタンド１２に設けられた給水部１５を対向する位置にアイロン本体１を導くアイロン本体１の外郭に沿って配置されたガイド部１６、アイロン本体１のタンク７に給水部１５および受水部８を介して供給する水を貯えるための貯水タンク１７、前記給水部１４の下方に配置された穴部１８、この穴部１８の下方に配置された水受け部１９、この水受け部１９とスタンドの下方に配置された水抜き穴２０に連通する連通部２１を有している。
【００２９】
さらに、上記スタンド１２には、前記貯水タンク１７に貯えられた水を給水部１５および受水部８を介してアイロン本体１のタンク７へ送るためのポンプ等で構成された給水装置２２、前記ヒータ５への通電およびこの給水装置２２の駆動を制御する複数の電子部品により構成された制御手段２３を有している。
【００３０】
上記構成において、次に動作、作用を説明する。まず、アイロンがけを行うときはアイロン本体１をスタンド１２の載置部１３に載置して電源を投入する。このとき、アイロン本体１に設けられている受水部８とスタンド１２に設けられている給水部１５はガイド部１６に案内されて対向した位置に案内され、接続される。そして、アイロン本体１のタンク７とスタンド１２の貯水タンク１７が連通状態となる。
【００３１】
そして制御手段２３によって給水装置２２が駆動し、貯水タンク１７の水は給水部１５および受水部８を介して、アイロン本体１のタンク７へ給水される。アイロン本体１のタンク７に所定の水量が給水されると水位検知手段１０により検知し、制御手段２３によって給水装置２２が停止する。
【００３２】
ここで、ガイド部１６がアイロン本体１の外郭に沿ってアイロン本体１に設けられた受水部８とスタンド１２に設けられた給水部１５を対向する位置にアイロン本体１を導くと言っても、アイロン本体１の外郭とガイド部１６にはスムーズな載置のためには、所定の隙間が必要である。この隙間の影響でアイロン本体１とガイド部１６にガタツキが生じる場合においても、図４に示すように、給水部１５が載置部１３の左右中央に配置されていた方が、載置部１３の左もしくは右に配置されているよりも、アイロン本体１の受水部８とスタンド１２の給水部１５の距離ａを小さくすることができる。すなわち、作業者のアイロン本体１の載置方向のバラツキに関わらず、アイロン本体１の受水部８とスタンド１２の給水部１５のシール代を確保することができる。
【００３３】
また、万が一、受水部８と給水部１５の故障等により、水が漏れた場合でも前記給水部１５の下方に配置された穴部１８と、この穴部１８の下方に配置された水受け部１９と、連通部２１とを介して、スタンド１２の下方に設けられた水抜き穴２０から排出され、受電端子９と給電部１４および制御手段２３に水が付着することなく、それらに付着することによる感電・誤動作の恐れがないため、安心してアイロンがけを行うことができる。
【００３４】
また、万が一、受水部８の故障等により水が漏れた場合でも、前記受水部８はアイロン本体１の持ち手１１の長手方向の延長線上において、前記受電端子９より上方かつ後方に設けられているため、作業者が使用している時に、前記受水部８から漏れた水は下に落ちるから、前記受電端子９に水が付着することなく、再びアイロン本体１をスタンド１２に載置し、通電状態になった時でも、感電の恐れがないため、安心してアイロンがけを行うことができる。
【００３５】
本実施例では、スタンドの下方に水抜き穴２０を設けたが、水受け部１９より下方のスタンド１２の側面に設けても同様の効果が得られる。
【図面の簡単な説明】
【００３６】
【図１】本発明の実施例におけるアイロン装置の断面図
【図２】同アイロン装置の水受け部の斜視図
【図３】同アイロン装置のアイロン本体の後面図
【図４】同アイロン装置のアイロン本体載置状態を示す説明図
【符号の説明】
【００３７】
１    アイロン本体
８    受水部
９    受電端子
１２  スタンド
１３  載置部
１４  給電部
１５  給水部
１６  ガイド部
【図１】
2005040318.tif 000003
【図２】
2005040318.tif 000004
【図３】
2005040318.tif 000005
【図４】
2005040318.tif 000006